(57)【特許請求の範囲】
【請求項１】
第１のヒンジ部を有する第１の筐体と、第２のヒンジ部を有する第２の筐体とが前記第１及び第２のヒンジ部によって相互に回動可能にヒンジ結合されている電子機器に取り付けられるものであって、前記第１及び第２のヒンジ部の共通な一軸周りで回動可能に前記第１及び第２のヒンジ部に取り付けるヒンジコネクタにおいて、
第１の部材と、該第１の部材と共通な前記一軸周りで回動可能に前記第１の部材に組み付けた第２の部材と、前記第１及び第２の部材内に導入した中間部分が屈曲性をもってスパイラル状に巻かれて配置されているとともに両端部が前記第１及び第２の部材から外へ突出しているフラットケーブルとを有し、
前記第１の部材は、前記フラットケーブルの前記中間部分を収納する第１の収納部と、前記フラットケーブルを保持する第１の保持部とを有し、
前記第２の部材は、前記フラットケーブルを収納する第２の収納部と、前記フラットケーブルを保持する第２の保持部とを有し、
前記フラットケーブルは、前記第１の保持部に係合する第１の係合部と、前記第２の保持部に係合する第２の係合部とを有し、
前記フラットケーブルには、少なくとも前記中間部分を除く部分にシールド層が設けられており、
前記第１及び第２の係合部に設けられている前記シールド層は前記第１及び第２の部材側へ電気的に導通してシールド接続される部分であることを特徴とするヒンジコネクタ。
【請求項２】
請求項１記載のヒンジコネクタにおいて、第１及び第２の部材の表面には、前記シールド層とシールド接続される金属めっきが施されていることを特徴とするヒンジコネクタ。
【請求項３】
請求項１記載のヒンジコネクタにおいて、第１及び第２の部材の表面には、前記シールド層とシールド接続される導電塗装が施されていることを特徴とするヒンジコネクタ。
【請求項４】
請求項１記載のヒンジコネクタにおいて、第１及び第２の部材は、導電性を有する材料によって作られていることを特徴とするヒンジコネクタ。
【請求項５】
請求項１記載のヒンジコネクタにおいて、前記第１及び第２の係合部を除く前記シールド層上が絶縁性の部材によって覆われていることを特徴とするヒンジコネクタ。
【請求項６】
請求項１記載のヒンジコネクタにおいて、前記第１の保持部は、前記第１の部材の回動方向に向けて前記フラットケーブルを突出させる第１の開口を有し、前記第２の保持部は、前記第２の部材の回動方向に向けて前記フラットケーブルを突出させる第２の開口を有していることを特徴とするヒンジコネクタ。
【請求項７】
第１のヒンジ部を有する第１の筐体と、第２のヒンジ部を有する第２の筐体とが前記第１及び第２のヒンジ部を相互に回動可能にヒンジコネクタによってヒンジ結合されている電子機器において、
前記ヒンジコネクタは、前記第１及び第２のヒンジ部の共通な一軸周りに回動可能に前記第１及び第２のヒンジ部に取り付けられており、第１の部材と、該第１の部材と共通な前記一軸周りで回動可能に前記第１の部材に組み付けた第２の部材と、内部に導入した中間部分が屈曲性をもってスパイラル状に巻かれて配置されているとともに両端部が前記第１及び第２の部材から外へ突出しているフラットケーブルとを有し、
前記第１の部材は、前記フラットケーブルを収納する第１の収納部と、前記フラットケーブルを保持する第１の保持部とを有し、
前記第２の部材は、前記フラットケーブルを収納する第２の収納部と、前記フラットケーブルを保持する第２の保持部とを有し、
前記フラットケーブルは、前記第１の保持部に係合する第１の係合部と、前記第２の保持部に係合する第２の係合部とを有し、
前記フラットケーブルには、前記第１及び第２の係合部にかつ少なくとも前記中間部分を除く部分にシールド層が設けられており、
前記第１及び第２の係合部に設けられている前記シールド層が前記第１及び第２の部材側へ電気的に導通してシールド接続する部分であり、
前記ヒンジコネクタが前記第１及び第２のヒンジ部に着脱自在に保持されていることを特徴とする電子機器。
【発明の詳細な説明】
【０００１】
【発明の属する技術分野】
本発明は、携帯電話器、ＰＤＡ（Ｐｅｒｓｏｎａｌ  Ｄｉｇｉｔａｌ  Ａｓｓｉｓｔａｎｔｓ：個人用デジタルアシスタント）、ノート型パーソナルコンピュータなどの折り畳み機能をもつ電子機器のヒンジ部に取り付けるヒンジコネクタ、及びこれを組み付けたヒンジコネクタ、及び電子機器に属する。
【０００２】
【従来の技術】
従来の電子機器としては、例えば、折り畳み式の携帯電話器の携帯電話器がある。図１１は、先行技術におけるヒンジコネクタを示している。図１２乃至図１５は、ヒンジコネクタを備えた電子機器を示している。
【０００３】
図１１を参照して、ヒンジコネクタ１１１は、一対の第１の部材１２１，１２２と、第１の部材１２１，１２２と共通な一軸周りで回動可能に第１の部材１２１，１２２に組み付けられている一対の第２の部材１３１，１３２と、第１及び第２の部材１２１，１２２，１３１，１３２の内部に中間部分を導入したフレキシブルなフラットケーブルとしてのＦＰＣ（フレキシブル・プリンテッド・サーキット）１４１とを有している。
【０００４】
組み合わされている第１の部材１２１，１２２の一軸方向における寸法は、組み合わされている第２の部材１３１，１３２の一軸方向における寸法よりも短い寸法に設定されている。第１の部材１２１，１２２の軸周りにおける外周面の形状は、略円面となっている。また、第２の部材１３１，１３２の軸周りにおける外周面の形状は、これもまた略円面となっている。
【０００５】
ＦＰＣ１４１の一側端部の面上には、図示しない第１のコネクタが搭載される。第１のコネクタは、ＦＰＣ１４１の回路に接続されている。ＦＰＣ１４１の他側端部の一面上には、図示しない第２のコネクタが搭載される。第２のコネクタは、これもまたＦＰＣ１４１の回路に接続されている。
【０００６】
図中の符号１４１ｅによって示した部分は、第１のコネクタの端子部（図示せず）が半田によって接続される導電部である。また、図中に符号１４１ｆによって示した部分は、第２のコネクタの端子部（図示せず）が半田によって接続される導電部である。
【０００７】
第１のコネクタは、図示しない基板に実装した相手コネクタに嵌合・離脱可能に接続する。第２のコネクタは、図示しない基板に実装した相手コネクタに嵌合・離脱可能に接続する。なお、ＦＰＣ１４１の全面には、図示しないシールド層が設けられる。
【０００８】
第１及び第２の部材１２１，１２２，１３１，１３２は、それぞれが一軸を含む一平面方向で二体に分割されており、樹脂成形によって作られているヒンジ組立体である。
【０００９】
ＦＰＣ１４１は、長手方向の中間部分がスパイラル状に屈曲されて巻かれて第１及び第２の部材１２１，１２２，１３１，１３２の内部に配置されると共に、両端部が第１及び第２の部材１２１，１２２，１３１，１３２から外へ突出している。
【００１０】
第１及び第２の部材１２１，１２２，１３１，１３２は、相互に組み合わされることによって円形の外周面を有するものとなる。第１の部材１２１，１２２と第２の部材１３１，１３２とは、相互に回動可能になる。
【００１１】
ＦＰＣ１４１の両端部は、第１及び第２の部材１２１，１２２，１３１，１３２から外へ突出している。ＦＰＣ１４１の一方側は、第１の部材１２１，１２２から一軸方向で外部へ導出されている。ＦＰＣ１４１の他方側は、第２の部材１３１，１３２から径方向で外部に導出されている。即ち、ＦＰＣ１４１は、互いに直交する向きでヒンジコネクタ１１１から外へ延びている。
【００１２】
図１２乃至図１５は、図１１に示したヒンジコネクタ１１１を備えている電子機器の組み立てを示している。以下に説明する電子機器としては、携帯電話器を前提として説明する。
【００１３】
図１２を参照して、この携帯電話器において、ＬＣＤ側基板を実装する第１の下側筐体１８１は、一側面で所定間隔をもって突出している一対の第１のヒンジ部１８１ａ，１８１ｂを有している。キーボード側の基板を実装する第２の下側筐体１８３は、一側の面上で所定間隔をもって突出している一対の第２のヒンジ部１８３ａ，１８３ｂを有している。
【００１４】
一対の第１のヒンジ部１８１ａ，１８１ｂは、一対の第２のヒンジ部１８３ａ，１８３ｂの内側で一対の第１のヒンジ部１８１ａ，１８１ｂにそれぞれが隣接するように位置している。第１の下側筐体１８１と第２の下側筐体１８３とは、第１及び第２のヒンジ部１８１ａ，１８１ｂ，１８３ａ，１８３ｂによって相互に回動可能にヒンジ結合されるものである。また、第１及び第２のヒンジ部１８１ａ，１８１ｂ，１８３ａ，１８３ｂの一軸は、共通にして合わせる。
【００１５】
第１及び第２の下側筐体１８１，１８３は、円柱形状のダンパー部材１８６を第１及び第２のヒンジ部１８１ｂ，１８３ｂの一方に形成されている一軸が共通な穴１８１ｆ及び第２のヒンジ部１８３ｂにも形成されている穴１８３ｆへ嵌合することによって結合される。
【００１６】
このヒンジコネクタ１１１では、ＦＰＣ１４１の中間部分をスパイラル状に巻き付けるように一回転させて、第１及び第２の部材１２１，１２２，１３１，１３２内に納める。
【００１７】
ここで、第１の部材１２１，１２２からなる組合体は、図１３及び図１４に示すように、第１及び第２のヒンジ部１８１ａ，１８３ａの一方に形成されている一軸が共通な穴１８１ｇ，１８３ｇへ嵌合する。この際、第１の部材１２１，１２２から外へ延びているＦＰＣ１４１の端部は、第１のヒンジ部１８１ａの近傍に形成されている切り欠き部１９１（図１２を参照）へ挿入する。さらに、図１４乃至図１５に示したように、第１の部材１２１，１２２から外へ延びているＦＰＣ１４１の端部は、直角方向へ曲げられ、さらに、折り畳むように曲げられる。
【００１８】
ヒンジコネクタ１１１は、第１及び第２のヒンジ部１８１ａ，１８１ｂ，１８３ａ，１８３ｂの穴１８１ｆ，１８１ｇ，１８３ｇと共通な一軸周りに回動可能に嵌め込まれて、第１の下側筐体１８１に実装されるＬＣＤ側基板と第２の下側筐体１８３に実装される基板とを相互に接続する。
【００１９】
さらに、第１の下側筐体１８１上には第１の上側筐体１８７が取り付けられる。また、第２の下側筐体１８３上には第２の上側筐体１８９が取り付けられる。
【００２０】
このように組み込まれたヒンジコネクタ１１１は、第１及び第２のヒンジ部１８１ａ，１８１ｂ，１８３ａ，１８３ｂに着脱自在に保持される。そして、第１の部材１２１，１２２は、第１及び第２のヒンジ部１８１ａ，１８３ａの穴１８１ｇ，１８３ｇへ嵌め込まれるので固定部分となり、第２の部材１３１，１３２が回動する部分となる。
【００２１】
なお、従来技術としての参照公報としては、特許公報第２６５８９３５号、並びに特許公報特許第２９２６２１２号公報に、電子機器に採用するヒンジコネクタが開示されている。
【００２２】
【発明が解決しようとする課題】
しかしながら、先行技術における電子機器では、ヒンジコネクタ１１１を第１の下側筐体１８１に組み込む際に、第１の下側筐体１８１に一時的に固定したり、ＦＰＣ１４１を第１の下側筐体１８１の切り欠き部１９１に挿入したりするなどの細かい作業があるため、組み込み作業に手間がかかってしまうという問題がある。
【００２３】
また、第１及び第２の部材１２１，１２２，１３１，１３２から外へＦＰＣ１４１を引き出す方向が、一軸方向と径方向とであるので、第１の下側筐体１８１に組み込む際に、一軸方向に延びているＦＰＣ１４１を直角方向に折り曲げなければならず、ＦＰＣ１４１にストレスがかかってしまうという問題がある。
【００２４】
さらに、ＦＰＣ１４１には、全面にシールド層を設けるが、第１及び第２の部材１２１，１２２，１３１，１３２内でスパイラル状に巻かれているＦＰＣ１４１も厚い寸法になるので、屈曲性が低下するという問題がある。
【００２５】
それ故に本発明の課題は、ＦＰＣの組み込みにかかる手間を軽減でき、組み込みに際して折り曲げがなくＦＰＣにかかるストレスを減少することができるヒンジコネクタ、及び電子機器を提供することにある。
【００２６】
また、本発明の他の課題は、ＦＰＣにシールド層をもち、しかもＦＰＣの屈曲性を向上させることができるヒンジコネクタ、及び電子機器を提供することにある。
【００２７】
【課題を解決するための手段】
本発明によれば、第１のヒンジ部を有する第１の筐体と、第２のヒンジ部を有する第２の筐体とが前記第１及び第２のヒンジ部によって相互に回動可能にヒンジ結合されている電子機器に取り付けられるものであって、前記第１及び第２のヒンジ部の共通な一軸周りで回動可能に前記第１及び第２のヒンジ部に取り付けるヒンジコネクタにおいて、第１の部材と、該第１の部材と共通な前記一軸周りで回動可能に前記第１の部材に組み付けた第２の部材と、前記第１及び第２の部材内に導入した中間部分が屈曲性をもってスパイラル状に巻かれて配置されているとともに両端部が前記第１及び第２の部材から外へ突出しているフラットケーブルとを有し、前記第１の部材は、前記フラットケーブルの前記中間部分を収納する第１の収納部と、前記フラットケーブルを保持する第１の保持部とを有し、前記第２の部材は、前記フラットケーブルを収納する第２の収納部と、前記フラットケーブルを保持する第２の保持部とを有し、前記フラットケーブルは、前記第１の保持部に係合する第１の係合部と、前記第２の保持部に係合する第２の係合部とを有し、前記フラットケーブルには、少なくとも前記中間部分を除く部分にシールド層が設けられており、前記第１及び第２の係合部に設けられている前記シールド層は前記第１及び第２の部材側へ電気的に導通してシールド接続される部分であることを特徴とするヒンジコネクタが得られる。
【００２８】
また、本発明によれば、第１のヒンジ部を有する第１の筐体と、第２のヒンジ部を有する第２の筐体とが前記第１及び第２のヒンジ部を相互に回動可能にヒンジコネクタによってヒンジ結合されている電子機器において、前記ヒンジコネクタは、前記第１及び第２のヒンジ部の共通な一軸周りに回動可能に前記第１及び第２のヒンジ部に取り付けられており、第１の部材と、該第１の部材と共通な前記一軸周りで回動可能に前記第１の部材に組み付けた第２の部材と、内部に導入した中間部分が屈曲性をもってスパイラル状に巻かれて配置されているとともに両端部が前記第１及び第２の部材から外へ突出しているフラットケーブルとを有し、前記第１の部材は、前記フラットケーブルを収納する第１の収納部と、前記フラットケーブルを保持する第１の保持部とを有し、前記第２の部材は、前記フラットケーブルを収納する第２の収納部と、前記フラットケーブルを保持する第２の保持部とを有し、前記フラットケーブルは、前記第１の保持部に係合する第１の係合部と、前記第２の保持部に係合する第２の係合部とを有し、前記フラットケーブルには、前記第１及び第２の係合部にかつ少なくとも前記中間部分を除く部分にシールド層が設けられており、前記第１及び第２の係合部に設けられている前記シールド層が前記第１及び第２の部材側へ電気的に導通してシールド接続する部分であり、前記ヒンジコネクタが前記第１及び第２のヒンジ部に着脱自在に保持されていることを特徴とする電子機器が得られる。
【００２９】
【作用】
本発明のヒンジコネクタによると、第１及び第２の部材の第１及び第２の収納部に納められるＦＰＣの中間部分を除く部分にシールド層を設ける。第１及び第２の部材の夫々には、金属めっきまたは導電塗装が施されるか、第１及び第２の部材自体を導電性を有する材料から構成する。
【００３０】
シールド層が露出しているＦＰＣの第１及び第２の係合部を第１及び第２の保持部によって保持することによって、ＦＰＣのシールドとヒンジコネクタとを電気的に接続する。ＦＰＣはスパイラルに巻かれる中間部分にストレスをかけずにシールドする。
【００３１】
また、ヒンジコネクタの形状と、ＦＰＣの引き出し方向をヒンジコネクタの接線方向（回動方向）にすることで、筐体に組み込む際の作業が簡略できるとともに、ＦＰＣの組み込みにかかる手間を軽減する。
【００３２】
さらに、ＦＰＣの引き出し方向は、ヒンジコネクタの外周の接線方向とすることで、筐体への組み込み作業に際して折り曲げがなくＦＰＣにかかるストレスを減少する。
【００３３】
【発明の実施の形態】
以下に、本発明に係る電子機器に用いるヒンジコネクタの一実施の形態例を説明する。図１乃至図４は、本発明に係る第１実施の形態例における電子機器に用いるヒンジコネクタを示している。
【００３４】
図１乃至図４を参照して、電子機器に組み付けられるヒンジコネクタ１１は、一対の第１の部材２１，２２と、第１の部材２１，２２と共通な一軸周りで回動可能に第１の部材２１，２２に組み付けられている一対の第２の部材３１，３２と、第１及び第２の部材２１，２２，３１，３２の内部に中間部分を導入したフレキシブルなフラットケーブルとしてのＦＰＣ（フレキシブル・プリンテッド・サーキット）４１とを有している。
【００３５】
なお、この第１実施の形態例においては、ＦＰＣ４１の他に、ＦＦＣ（フレキシブル・フラット・ケーブル）を採用することも可能である。したがって、ＦＰＣ４１及びＦＦＣは、これらを総称してフラットケーブルと呼ぶことにする。
【００３６】
組み合わされている第１の部材２１，２２の一軸方向における寸法は、組み合わされている第２の部材３１，３２の一軸方向における寸法よりも短い寸法に設定されている。一対の第１の部材２１，２２の軸周りにおける外周面の形状は、略円面となっている。一対の第２の部材３１，３２の軸周りにおける外周面の形状は、これもまた略円面となっている。
【００３７】
一対の第１の部材２１，２２の軸周りにおける外周面の形状は、略円面となっている主体部分と、主体部分の外周面から外向きに少し突き出している突出部分２１ｅ，２２ｅとを有している。一対の第２の部材３１，３２の軸周りにおける外周面の形状は、略円面となっている主体部分と、主体部分の外周面から外向きに少し突き出している突出部分３１ｅ，３２ｅとを有している。
【００３８】
ＦＰＣ４１の一側端部の面上には、図示しない第１のコネクタが搭載されている。第１のコネクタは、ＦＰＣ４１の回路に接続される。ＦＰＣ４１の他側端部の一面上には、図示しない第２のコネクタが搭載されている。第２のコネクタはＦＰＣ４１の回路に接続される。
【００３９】
図２中の符号４１ｅによって示した部分は、第１のコネクタの端子部（図示せず）が半田によって接続される導電部である。また、図２中に符号４１ｆによって示した部分は、第２のコネクタの端子部（図示せず）が半田によって接続される導電部である。
【００４０】
第１のコネクタは、図示しない基板に実装した相手コネクタに嵌合・離脱可能に接続する。第２のコネクタは、図示しない基板に実装した相手コネクタに嵌合・離脱可能に接続する。なお、ＦＰＣ４１の両端部は、相手コネクタの種類によって基板間接続用コネクタとを実装する場合もある。
【００４１】
第１及び第２の部材２１，２２，３１，３２は、それぞれが一軸を含む一平面方向で二体に分割されており、樹脂成形によって作られているヒンジ組立体である。ヒンジ組立体は、組み立てた状態でＦＰＣ４１に形成されている第１及び第２の係合部４１ａ，４２ａを挟み付け保持している。
【００４２】
ＦＰＣ４１は、長手方向の中間部分４１Ａがスパイラル状に屈曲されて二回に巻かれて、第１及び第２の部材２１，２２，３１，３２の内部に配置されると共に、両端部が第１及び第２の部材２１，２２，３１，３２から外へ突出している。
【００４３】
さらに、具体的にヒンジ組立体を説明すると、二体を合わせた構造の組立体からなる第１の部材２１，２２のそれぞれは、図１及び図４に示したように、第２の部材３１，３２に回動可能に係合する半円形状の第１の回動ガイド部２１ｂ，２２ｂと、ＦＰＣ４１の中間部分４１Ａを収納する第１の収納部２１ｃ，２２ｃとを有している。
【００４４】
また、一方の第１の部材２１には、ＦＰＣ４１の第１の係合部４１ａを保持するように突出している第１の保持部２１ａが形成されている。第１の保持部２１ａは、第１の部材２１，２２が組み合わされる合わせ面から突出している。
【００４５】
また、第１の部材２２には、ＦＰＣ４１の第１の係合部４１ａを保持するように平坦面と開口２２ｎをもつ第１の保持部２２ａが形成されている。第１の保持部２２ａは、第１の部材２１，２２が組み合わされる合わせ面から少し窪んだ部分となっている。
【００４６】
二体を合わせた構造の組立体からなる第２の部材３１，３２のそれぞれは、第１の回動ガイド部２１ｂ，２２ｂに回動可能に係合する半円形状の第２の回動ガイド部３１ｂ，３２ｂと、ＦＰＣ４１の中間部分４１Ａを収納する第２の収納部３１ｃ，３２ｃとを有している。
【００４７】
また、第２の部材３１，３２には、ＦＰＣ４１の第２の係合部４２ａを保持するように平坦面と開口３２ｎとをもつ第２の保持部３１ａ，３２ａが形成されている。第２の保持部３２ａは、第２の部材３１，３２が組み合わされる合わせ面から少し窪んだ部分となっている。
【００４８】
第１の保持部２２ａ，２１ａは、凹凸の関係で組み合わされる部分である。また、第２の保持部３１ａ，３２ａは、凹凸の関係で組み合わされる部分である。第１及び第２の保持部２２ａ，２１ａ，３１ａ，３２ａは、第１及第２の部材２１，２２の回動方向に向けてＦＰＣ４１をそれぞれの開口２２ｎ，３２ｎから突出させている。
【００４９】
半円形状の第１の回動ガイド部２１ｂ，２２ｂは、相互に組み合わされることによって円形の外周面を有するものとなる。半円形状の第２の回動ガイド部３１ｂ，３２ｂは組み合わされることによって円形の外周面を有するものとなる。第１の回動ガイド部２１ｂ，２２ｂは、第２の回動ガイド部３１ｂ，３２ｂの内側へ嵌め込まれることによって、第１及び第２の部材２１，２２，３１，３２が相互に回動可能になる。
【００５０】
なお、この実施の形態例においては、第１及び第２の部材２１，２２，３１，３２の両方に第１及び第２の保持部２２ａ，３２ａを形成しているが、ヒンジ組立体における一方側の第１の部材２２のみに第１の保持部２２ａを、一方の第２の部材３２のみに第２の保持部３２ａを形成するようにしてもよい。
【００５１】
ＦＰＣ４１は、中間部分４１Ａが第１及び第２の部材２１，２２，３１，３２における第１及び第２の収納部２１ｃ，２２ｃ，３１ｃ，３２ｃに配置されると共に、ＦＰＣ４１の両端部が第１及び第２の部材２１，２２，３１，３２から外へ突出している。ＦＰＣ４１の第１の係合部４１ａは、第１の保持部２１ａ，２２ａに挟まれて係合し、第２の係合部４２ａは、第２の保持部３１ａ，３２ａに挟まれて係合する。
【００５２】
第１及び第２の保持部２２ａ，３２ａは、ＦＰＣ４１の第１及び第２の係合部４１ａ，４２ａを含む部分の形状に対応した形状に形成されている。
【００５３】
ＦＰＣ４１の一方側は、第１の保持部２２ａから第１の保持部２２ａに形成されている第１の閉塞端壁２２ｇを切り欠いた開口２２ｎを軸周りで、かつ径方向外向で貫通して外部に導出されている。ＦＰＣ４１が貫通する部分は、第１の閉塞端壁２２ｇにおいて、例えば切り欠きいた開口２２ｎ部分を封止する樹脂若しくは接着剤などの封止材によって封止されている。
【００５４】
さらに、ＦＰＣ４１の他方側は、第２の保持部３２ａから第２の保持部３２ａに形成されている第２の閉塞外壁３２ｇの切り欠いた開口３２ｎを軸周りで、かつ径方向外向に貫通して外部に導出されるとともに、第２の閉塞外壁３２ｇの開口３２ｎで封止されている。即ち、ＦＰＣ４１は、互いに平行な向きでヒンジコネクタ１１から外へ延びている。すなわち、ＦＰＣ４１の引き出し方向は、ヒンジコネクタ１１の外周の接線方向（回動方向）となっている。
【００５５】
さらに、ＦＰＣ４１の両面には、図２の網線で示すように、シールド層５１が設けられている。シールド層５１は、第１及び第２の係合部４１ａ，４２ａから導電部４１ｅ，４１ｆ側の面に設けられている。すなわち、ＦＰＣ４１には、第１及び第２の部材２１，２２，３１，３２に納められる部分を除く部分にシールド層５１が設けられている。
【００５６】
このシールド層５１は、絶縁性のカバー層（図示せず）で覆われているが、第１及び第２の係合部４１ａ，４２ａだけは、カバー層が除かれてシールド層５１が露出している。また、第１及び第２の部材の表面には、金属めっき若しくは導電塗装が施されている。なお、第１及び第２の部材２１，２２，３１，３２は、通常、樹脂によって作られているが、そのもの自体が金属性の導電性を有する材料であってもよい。
【００５７】
つまり、第１及び第２の部材２１，２２，３１，３２の夫々は、金属めっきまたは導電塗装が施されるか、あるいは導電性を有する材料から構成されるので、
ＦＰＣ４１の第１及び第２の係合部４１ａ，４２ａが第１及び第２の保持部２１a,２２a、３１a,３２aによって保持されている状態で、ＦＰＣ４１の第１及び第２の係合部４１ａ，４２ａのシールド層５１が第１及び第２の部材２，２２，３１，３２側へ電気的に導通する部分となってシールド接続することになる。
【００５８】
すなわち、ＦＰＣ４１の第１及び第２の係合部４１ａ，４２ａは、シールド層５１が露出しており、この部分のシールド層５１が第１及び第２の部材２１，２２，３１，３２の表面に施した金属めっきまたは導電塗装、もしくは導電性を有する材料によって作られている第１及び第２の部材２１，２２，３１，３２に接触することによって電気的に導通するので、ヒンジコネクタ１１全体がシールド層５１の役目を果たす。したがって、第１及び第２の収納部２１ｃ，２２ｃ、３１ｃ，３２ｃに収納されているＦＰＣ４１の中間部分４１Ａには、シールド層５１を設ける必要はない。
【００５９】
この実施の形態例におけるヒンジコネクタ１１の組み立てでは、第１の部材２２における第１の回動ガイド部２２ｂと、第２の部材３２における第２の回動ガイド部３２ｂとを嵌め合わせ、第２の保持部３２ａにＦＰＣ４１の第２の係合部４２ａを置く。次に、第１の部材２１，２２を嵌め合わせ、さらに、第２の部材３１，３２を嵌め合わせることによってヒンジコネクタ１１が完成する。
【００６０】
図５乃至図１０は、ヒンジコネクタ１１を備えている電子機器の組み立てを示している。以下に説明する電子機器としては、携帯電話器を前提として説明する。
【００６１】
図５及び図６を参照して、この携帯電話器において、キーボード側の基板（図示せず）を実装する第１の下側筐体８１は、一側面で所定間隔をもって突出している一対の第１のヒンジ部８１ａ，８１ｂを有している。ＬＣＤ側の基板（図示せず）を実装する第２の下側筐体８３は、一側の面上で所定間隔をもって突出しているダンパ固定部８３ａと、コネクタ受け部８３ｂとを有している。ダンパ固定部８３ａとコネクタ受け部８３ｂとは、これらで、第２のヒンジ部（８３ａ，８３ｂ）を構成している。
【００６２】
一対の第１のヒンジ部８１ａ，８１ｂは、一対の第２のヒンジ部８３ａ，８３ｂの内側で一対の第１のヒンジ部８１ａ，８１ｂにそれぞれが隣接するように位置している。第１の下側筐体８１と第２の下側筐体８３とは、第１及び第２のヒンジ部８１ａ，８１ｂ，８３ａ，８３ｂによって相互に回動可能にヒンジ結合されるものである。
【００６３】
第１及び第２の部材２１，２２，３１，３２において、第１及び第２の保持部２２ａ，３２ａ上には、ＦＰＣ４１の第１及び第２の係合部４１ａ，４２ａを置き、第１及び第２の部材２１，２２，３１，３２を組み合わせてヒンジコネクタ１１を製作しておく。また、第１及び第２のヒンジ部８１ａ，８１ｂ，８３ａ，８３ｂの一軸を共通にして合わせる。
【００６４】
第１及び第２の下側筐体８１，８３は、ダンパー部材８６を第１及び第２のヒンジ部８１ｂ，８３ｂにそれぞれ形成されている一軸が共通な穴８１ｆ，８３ｆへ嵌合することによって結合される。
【００６５】
このヒンジコネクタ１１では、図２に示した第１の回転ガイド部２１ｂ，２２ｂを第２の回転ガイド部３１ａ，３２ｂと合わせた状態でＦＰＣ４１をスパイラル状に巻き付けるように二回転させて、第１及び第２のヒンジ部８１ａ，８１ｂ，８３ａ，８３ｂに合わせる。ここで、第１の部材２１，２２の組合体は、第１及び第２のヒンジ部８１ａ，８３ａの一方に形成されている一軸が共通な穴８１ｇへ嵌合する。
【００６６】
ヒンジコネクタ１１は、第１及び第２のヒンジ部８１ａ，８１ｂ，８３ａ，８３ｂの穴８１ｆ，８３ｆ，８１ｇと共通な一軸周りに回動可能に嵌め込まれて、第１の下側筐体８１に実装されるキーボード側の基板と第２の下側筐体８３に実装される基板とを相互に接続する。
【００６７】
さらに、第１の下側筐体８１上には、第１の上側筐体８７が取り付けられる。また、第２の下側筐体８３上には、第２の上側筐体８９が取り付けられる。
【００６８】
ヒンジコネクタ１１は、第１及び第２のヒンジ部８１ａ，８１ｂ，８３ａ，８３ｂに着脱自在に保持される。そして、図５乃至図８に示したように、第１の部材２１，２２は、第１のヒンジ部８１bの穴８１ｇへ嵌め込まれるので固定部分となり、第２の部材３１，３２が回動部分となる。
【００６９】
なお、図８に示すように、ヒンジコネクタ１１は、第１のヒンジ部８１ｂに収納するか、図９に示すように、ヒンジコネクタ１１を第１及び第２の下側筐体８１，８３の第２のヒンジ部８３上における中央付近に収納するが、いずれの場合も第１及び第２の下側筐体８１，８３のシールド部分とヒンジコネクタ１１とを接触させるだけで、ＦＰＣ４１とシールド層５１と第１及び第２の下側筐体８１，８３のシールド部分とをシールド接続することができる。なお、図１０は、図８に示した電子機器を裏側から見ている状態を示している。
【００７０】
【発明の効果】
以上説明したように、本発明のヒンジコネクタによれば、第１及び第２の部材の第１及び第２の収納部に納められるＦＰＣの中間部分を除く部分にシールド層を設け、第１及び第２の部材の夫々に、金属めっきまたは導電塗装が施されるか、ヒンジコネクタ自体を導電性のある材料から構成し、シールド層が露出しているＦＰＣの第１及び第２の係合部を保持することによって、ＦＰＣのシールドとヒンジコネクタの第１及び第２の部材との間を電気的にシールド接続することができるので、スパイラルに巻かれる部分にストレスをかけずに、簡単な作業によってシールドができる。
【００７１】
また、ヒンジコネクタの形状と、ＦＰＣの引き出し方向をヒンジコネクタの接線方向にすることで、筐体に組み込む際の作業が簡略できるとともに、ＦＰＣの組み込みにかかる手間を軽減でき、ＦＰＣの引き出し方向をヒンジコネクタの外周の接線方向とすることで、筐体への組み込み作業に際して折り曲げがなくＦＰＣにかかるストレスを減少することができる。
【図面の簡単な説明】
【図１】本発明に係る電子機器に用いるヒンジコネクタの一実施の形態例を示す斜視図である。
【図２】図１に示したヒンジコネクタの分解斜視図である。
【図３】図２に示したヒンジコネクタの組立途中の状態を示す斜視図である。
【図４】図３に示したヒンジコネクタを組み立てた状態を示す斜視図である。
【図５】図１に示したヒンジコネクタを電子機器に組み込む前の分解斜視図である。
【図６】図５に示したヒンジコネクタを電子機器に組み込む途中の状態を示す分解斜視図である。
【図７】図６に示したヒンジコネクタを電子機器に組み込む途中の状態を示す分解斜視図である。
【図８】図７に示したヒンジコネクタを電子機器に組み込んだ状態を示す斜視図である。
【図９】図１に示したヒンジコネクタを電子機器に組み込んだ状態の他の例を示す斜視図である。
【図１０】図８に示した電子機器の背面図である。
【図１１】先行技術におけるヒンジコネクタを示す斜視図である。
【図１２】図１１に示したヒンジコネクタを電子機器に組み込む前の分解斜視図である。
【図１３】図１１に示したヒンジコネクタを電子機器に組み込む途中の分解斜視図である。
【図１４】図１１に示したヒンジコネクタを電子機器に組み込む前の分解斜視図である。
【図１５】図１４に示したヒンジコネクタを電子機器に組み込んだ後の斜視図である。
【符号の説明】
１１，１１１    ヒンジコネクタ
２１，２２，１２１，１２２    第１の部材
２１ｂ，２２ｂ    第１の回動ガイド部
２１ｃ,２２c 第１の収納部
２２ａ    第１の保持部
３１，３２，１３１，１３２    第２の部材
３１ｂ，３２ｂ    第２の回動ガイド部
３１ｃ，３２ｃ    第２の収納部
３２ａ    第２の保持部
４１Ａ    中間部分
４１，１４１    ＦＰＣ
４１ａ    第１の係合部
４２ａ    第２の係合部
５１    シールド層
８１，１８１    第１の下側筐体
８１ａ，８１ｂ，１８１ａ，１８１ｂ    第１のヒンジ部
８３，１８３    第２の下側筐体
８３ａ，８３ｂ，１８３ａ，１８３ｂ    第２のヒンジ部
【図１】
0003573122.tif 000002
【図２】
0003573122.tif 000003
【図３】
0003573122.tif 000004
【図４】
0003573122.tif 000005
【図５】
0003573122.tif 000006
【図６】
0003573122.tif 000007
【図７】
0003573122.tif 000008
【図８】
0003573122.tif 000009
【図９】
0003573122.tif 000010
【図１０】
0003573122.tif 000011
【図１１】
0003573122.tif 000012
【図１２】
0003573122.tif 000013
【図１３】
0003573122.tif 000014
【図１４】
0003573122.tif 000015
【図１５】
0003573122.tif 000016